(57)【要約】【課題】テレビモニタ上のポインタのリモコン操作の操作性や利便性を向上させる。【解決手段】携帯電話の識別ＩＤを記憶する手段（１０５）と、十字キー１２等の複数の操作子と、操作子の操作情報と携帯電話識ＩＤとを送信する赤外線信号発光部１０３とを有する携帯電話１０と、赤外線信号を受信する赤外線信号受光部２０１と、受信した信号に基づいて操作子の操作情報を携帯電話識別ＩＤに応じて解析するリモコンコード解析部２０２と、操作情報解析結果に応じてＴＶモニタに表示されるポインタの位置を制御するポインタ制御部２０３とを有するＳＴＢ（セットトップボックス）２０とを備える画像表示制御システム。【選択図】            図１
2006058946.tif 000002
【特許請求の範囲】
【請求項１】
当該装置の識別符号を記憶する記憶手段と、
複数の操作子と、
複数の操作子の操作情報と記憶手段に記憶されている識別符号とを無線信号で送信する信号送信手段と
を有する携帯端末装置と、
一体として形成され又は外部に接続された画像表示装置を制御する装置であって、
携帯端末装置から出力された無線信号を受信する信号受信手段と、
受信した無線信号に基づいて複数の操作子の操作情報を識別符号に応じて解析する操作情報解析手段と、
操作情報解析結果に応じて画像表示装置に表示されるポインタの位置を制御する表示制御手段と
を有する画像表示制御装置と
を備えることを特徴とする画像表示制御システム。
【請求項２】
前記操作情報解析手段が、識別符号に対応して前記複数の操作子の操作と前記ポインタの移動制御の関係とを定義したテーブルを参照し、所定の操作子の操作を前記画像表示装置の画面上の所定の位置への即時のポインタ移動指示として又は方向を指示する所定の操作子と他の所定の操作子との同時操作を単独操作と異なる移動速度での所定の方向へのポインタ移動指示として解析する
ことを特徴とする請求項１記載の画像表示制御システム。
【請求項３】
前記信号送信手段が、携帯端末装置毎に設定されたタイミングで前記無線信号を送信し、
前記操作情報解析手段が、前記識別符号に基づいて２以上の携帯端末装置を識別し、各携帯端末装置の複数の操作子の操作情報を各携帯端末装置に対応する各ポインタの移動制御情報として解析し、
前記表示制御手段によって複数のポインタの表示制御を行う
ことを特徴とする請求項１記載の画像表示制御システム。
【請求項４】
前記表示制御手段によって表示制御される複数のポインタの移動範囲を携帯端末装置毎に個別に制限する
ことを特徴とする請求項３記載の画像表示制御システム。
【請求項５】
前記画像表示制御装置が、各携帯端末装置に割り当て可能な画像データ記憶手段をさらに有し、
前記表示制御手段が、前記各ポインタの移動制限範囲に対応させて画像データ記憶手段に記憶された各携帯端末装置に対応する画像データを表示させる
ことを特徴とする請求項４記載の画像表示制御システム。
【請求項６】
携帯端末装置毎に優先度を設定し、所定の優先度が設定された携帯端末装置に対応するポインタの移動範囲の制限を行わない
ことを特徴とする請求項５記載の画像表示制御システム。
【請求項７】
前記所定の優先度が設定された携帯端末装置の所定の操作子が操作された場合に、その携帯端末装置に対応するポインタが位置する他の優先度を設定された他の携帯端末装置に対応するポインタの移動制限範囲を拡大して表示する
ことを特徴とする請求項６記載の画像表示制御システム。
【請求項８】
前記画像データ記憶手段への画像データの記憶が、前記携帯端末装置の識別符号に基づいて携帯端末装置毎の割当領域に対して自動的に行われる
ことを特徴とする請求項５記載の画像表示制御システム。
【請求項９】
当該装置の識別符号を記憶する記憶手段と、複数の操作子とを有する携帯端末装置において、
複数の操作子の操作情報と記憶手段に記憶されている識別符号とを無線信号で送信し、
一体として形成され又は外部に接続された画像表示装置を制御する装置であって、携帯端末装置から出力された無線信号を受信する信号受信手段を有する画像表示制御装置において、
受信した無線信号に基づいて複数の操作子の操作情報を識別符号に応じて解析し、
操作情報解析結果に応じて画像表示装置に表示されるポインタの位置を制御する
ことを特徴とする画像表示制御方法。
【請求項１０】
当該装置の識別符号を記憶する記憶手段と、
複数の操作子と、
複数の操作子の操作情報と記憶手段に記憶されている識別符号とを無線信号で、一体として形成され又は外部に接続された画像表示装置を制御する装置であって、携帯端末装置から出力された無線信号を受信する信号受信手段と、受信した無線信号に基づいて複数の操作子の操作情報を識別符号に応じて解析する操作情報解析手段と、操作情報解析結果に応じて画像表示装置に表示されるポインタの位置を制御する表示制御手段とを有する画像表示制御装置に対して送信する信号送信手段と
を備えることを特徴とする携帯端末装置。
【請求項１１】
一体として形成され又は外部に接続された画像表示装置を制御する装置であって、
当該携帯端末装置の識別符号を記憶する記憶手段と、複数の操作子と、複数の操作子の操作情報と記憶手段に記憶されている識別符号とを無線信号で送信する信号送信手段とを有する携帯端末装置から出力された無線信号を受信する信号受信手段と、
受信した無線信号に基づいて複数の操作子の操作情報を識別符号に応じて解析する操作情報解析手段と、
操作情報解析結果に応じて画像表示装置に表示されるポインタの位置を制御する表示制御手段と
を備えることを特徴とする画像表示制御装置。
【発明の詳細な説明】
【技術分野】
【０００１】
本発明は、携帯電話等の携帯端末装置から、セットトップボックス等の画像表示制御装置に対して赤外線信号等の無線信号を送信することで、テレビ等の画像表示装置におけるポインタ表示等の表示制御を行う際に用いて好適な画像表示制御システム、画像表示制御方法、画像表示制御装置および携帯端末装置に関する。
【背景技術】
【０００２】
従来、ＡＶ機器（Audio Visual機器）の遠隔操作技術の分野においては、リモコン装置により、表示モニタ上でマウスの代替となる遠隔操作指示を提供することができた（特許文献１〜３等）。また、個人を識別する為にリモコン内に固有コードを持たせ、ＡＶ機器内に設定済みの個人情報を照合することで、たとえば、子供のリモコンからは大人用のチャンネルは選択できないように制限することができた（特許文献４等）。
【０００３】
特許文献１記載の「指示入力装置」では、マウスの代替となる遠隔操作の指示入力装置を提供する。特許文献２記載の「リモコン装置及び該リモコン装置を用いた情報処理装置」では、リモコン信号にカーソル移動信号を割当てている。特許文献３記載の「Ｗｅｂブラウザ用リモコン」では、リモコンに設けた十字キーに移動信号を割当、操作することでインプットタグにマウスカーソルが自在に移動する。そして、特許文献４記載の「電子機器制御装置」では、複数のリモコンに固有のコードを持たせ、受信側でリモコンを識別し個人情報を有効とすることができる。
【０００４】
一方、現在、急速に普及し始めた携帯電話には、赤外線通信（双方向：約２０ｃｍ）や赤外線リモコン（片方向：約５ｍ）などの通信手段を備えているものがある。
【特許文献１】特開平１０−１７７４５１号公報
【特許文献２】特開２００２−０２７５７９号公報
【特許文献３】特開２００１−２０９４９５号公報
【特許文献４】特開２０００−９９２３０号公報
【発明の開示】
【発明が解決しようとする課題】
【０００５】
従来技術によれば、専用の赤外線リモコンの十字キー等により、ＴＶモニタ（テレビモニタ）上でマウスの代替となる遠隔操作指示を提供することができたが、ポインタの移動に時間がかかっていた。
【０００６】
また、従来の技術では、専用リモコン等からのポインティング信号を受信する場合、１つのリモコンからの信号しか想定しておらず、例えば、複数の閲覧者が複数の専用リモコンを操作しＳＴＢ（セットトップボックス）等へ信号を送信する場合、信号が競合し正常に受信できなかったり、複数のポインタカーソルの識別ができず、正常に操作することはできなかった。
【０００７】
また、従来の技術では、ＳＴＢ等に複数ユーザ対応の情報を蓄積管理し、複数ユーザからの呼出操作により、それぞれ個別に制限された分割画面で情報を表示することができなかった。
【０００８】
本発明は、上記の事情を考慮してなされたものであって、携帯電話等の携帯端末装置からの遠隔操作によってテレビ等の画像表示装置の画面上に表示するポインタを表示制御するなど際の操作性や利便性を向上させることができる画像表示制御システム、画像表示制御方法、画像表示制御装置および携帯端末装置を提供することを目的とする。
【課題を解決するための手段】
【０００９】
請求項１記載の発明は、当該装置の識別符号を記憶する記憶手段と、複数の操作子と、複数の操作子の操作情報と記憶手段に記憶されている識別符号とを無線信号で送信する信号送信手段とを有する携帯端末装置と、一体として形成され又は外部に接続された画像表示装置を制御する装置であって、携帯端末装置から出力された無線信号を受信する信号受信手段と、受信した無線信号に基づいて複数の操作子の操作情報を識別符号に応じて解析する操作情報解析手段と、操作情報解析結果に応じて画像表示装置に表示されるポインタの位置を制御する表示制御手段とを有する画像表示制御装置とを備えることを特徴とする。
【００１０】
請求項２記載の発明は、前記操作情報解析手段が、識別符号に対応して前記複数の操作子の操作と前記ポインタの移動制御の関係とを定義したテーブルを参照し、所定の操作子の操作を前記画像表示装置の画面上の所定の位置への即時のポインタ移動指示として又は方向を指示する所定の操作子と他の所定の操作子との同時操作を単独操作と異なる移動速度での所定の方向へのポインタ移動指示として解析することを特徴とする。
【００１１】
請求項３記載の発明は、前記信号送信手段が、携帯端末装置毎に設定されたタイミングで前記無線信号を送信し、前記操作情報解析手段が、前記識別符号に基づいて２以上の携帯端末装置を識別し、各携帯端末装置の複数の操作子の操作情報を各携帯端末装置に対応する各ポインタの移動制御情報として解析し、前記表示制御手段によって複数のポインタの表示制御を行うことを特徴とする。
【００１２】
請求項４記載の発明は、前記表示制御手段によって表示制御される複数のポインタの移動範囲を携帯端末装置毎に個別に制限することを特徴とする。
【００１３】
請求項５記載の発明は、前記画像表示制御装置が、各携帯端末装置に割り当て可能な画像データ記憶手段をさらに有し、前記表示制御手段が、前記各ポインタの移動制限範囲に対応させて画像データ記憶手段に記憶された各携帯端末装置に対応する画像データを表示させることを特徴とする。
【００１４】
請求項６記載の発明は、携帯端末装置毎に優先度を設定し、所定の優先度が設定された携帯端末装置に対応するポインタの移動範囲の制限を行わないことを特徴とする。
【００１５】
請求項７記載の発明は、前記所定の優先度が設定された携帯端末装置の所定の操作子が操作された場合に、その携帯端末装置に対応するポインタが位置する他の優先度を設定された他の携帯端末装置に対応するポインタの移動制限範囲を拡大して表示することを特徴とする。
【００１６】
請求項８記載の発明は、前記画像データ記憶手段への画像データの記憶が、前記携帯端末装置の識別符号に基づいて携帯端末装置毎の割当領域に対して自動的に行われることを特徴とする。
【００１７】
請求項９記載の発明は、当該装置の識別符号を記憶する記憶手段と、複数の操作子とを有する携帯端末装置において、複数の操作子の操作情報と記憶手段に記憶されている識別符号とを無線信号で送信し、一体として形成され又は外部に接続された画像表示装置を制御する装置であって、携帯端末装置から出力された無線信号を受信する信号受信手段を有する画像表示制御装置において、受信した無線信号に基づいて複数の操作子の操作情報を識別符号に応じて解析し、操作情報解析結果に応じて画像表示装置に表示されるポインタの位置を制御することを特徴とする。
【００１８】
請求項１０記載の発明は、当該装置の識別符号を記憶する記憶手段と、複数の操作子と、複数の操作子の操作情報と記憶手段に記憶されている識別符号とを無線信号で、一体として形成され又は外部に接続された画像表示装置を制御する装置であって、携帯端末装置から出力された無線信号を受信する信号受信手段と、受信した無線信号に基づいて複数の操作子の操作情報を識別符号に応じて解析する操作情報解析手段と、操作情報解析結果に応じて画像表示装置に表示されるポインタの位置を制御する表示制御手段とを有する画像表示制御装置に対して送信する信号送信手段とを備えることを特徴とする。
【００１９】
請求項１１記載の発明は、一体として形成され又は外部に接続された画像表示装置を制御する装置であって、当該携帯端末装置の識別符号を記憶する記憶手段と、複数の操作子と、複数の操作子の操作情報と記憶手段に記憶されている識別符号とを無線信号で送信する信号送信手段とを有する携帯端末装置から出力された無線信号を受信する信号受信手段と、受信した無線信号に基づいて複数の操作子の操作情報を識別符号に応じて解析する操作情報解析手段と、操作情報解析結果に応じて画像表示装置に表示されるポインタの位置を制御する表示制御手段とを備えることを特徴とする。
【発明の効果】
【００２０】
本発明によれば、(ア)例えばＴＶモニタに対し専用リモコンを使用せず、携帯電話等の携帯端末に対する簡単な操作でポインタ（ポインティングデバイス）を表示し、素早く移動させたり、移動速度を変更することができ、操作性が向上する。本発明によれば、また、(イ)ＴＶモニタに複数の携帯電話等からの操作に対応する複数のポインタを表示し、同時に操作が反映されるので、複数の利用者の共同作業やコミュニケーションを行うことができる。本発明によれば、また、(ウ)携帯電話等に蓄積された映像データ等をＳＴＢ上等の専用の領域に転送することができ、専用の領域画面（各ポインタの移動制限範囲に対応する各領域）でポインタを操作することなどで映像データを簡単に表示することができる。
【発明を実施するための最良の形態】
【００２１】
以下に図面を参照して説明する本発明の実施の形態は、本発明の画像表示制御システムを構成する携帯端末装置および画像表示制御装置を、それぞれ携帯電話およびＳＴＢとしている。その際、携帯電話およびＳＴＢは、赤外線通信機能と、所定のプログラムを実行する機能を備えていて、各所定のプログラムを本発明の実施に必要な構成とすることで本発明の実施の形態が実現される。ただし、携帯端末装置は、携帯電話に限らず、個人情報端末（ＰＤＡ）等の他の携帯情報処理機能を備えた端末とすることができる。また、画像表示制御装置は、ＳＴＢに限らず、ＴＶモニタが備える情報処理装置を利用するものとして一定として構成されていても良いし、一部あるいは全部をパーソナルコンピュータを利用した構成とするものであってもよい。また、赤外線通信機能は、赤外線以外の電波を用いる無線通信機能であってもよいし、構成の一部をなすプログラムの一部あるいは全部はハードウェアを利用して構成するものであってもよい。
【００２２】
本実施の形態は、携帯電話の操作によってＴＶモニタ等に表示されるポインタの表示制御（位置制御）を行う際に、携帯電話の十字キー（カーソルキー）、１０キー等の複数の操作子の操作情報を、携帯電話識別ＩＤ（Identification）とともに送信し、受信したＳＴＢで携帯電話識別ＩＤに対応するように操作情報をポインタの移動情報等に変換することで画像表示制御を実行する。この基本的な機能に関連して複数の機能を設けているが、その主なものは次の通りである。
【００２３】
（１）簡単なキー操作でポインタの位置を大きく移動させたり、移動速度を速くしたりする機能、（２）複数の携帯電話を同時に使用する場合に、携帯電話からＳＴＢに送信されるリモコン信号（赤外線信号）の送信タイミングを各携帯電話間でずらすための機能、（３）複数の携帯電話を同時に使用する場合に、ＳＴＢに接続されたＴＶモニタの画面を複数の領域に分割するとともに、各携帯電話に対応する複数のポインタを各領域内に移動範囲を限定して表示したり、ＳＴＢ内に携帯電話から受信した静止画像、動画像（映像）からななる画像データを記憶するための記憶装置を設け、各画像データを各ポインタに対応する領域に表示したり、ＴＶモニタの複数の分割領域の一つの領域を全画面に表示したりする機能、そして、（４）画像データを記憶するための記憶装置を複数の領域に分割可能で、かつ各携帯電話に対応して各記憶領域を自動的に割り当てる機能である。以下、これらの機能毎に実施の形態の構成および動作について説明する。
【００２４】
（１）簡単なキー操作でポインタの位置を大きく移動させたり、移動速度を速くしたりする機能：図１は本機能を実現するための構成を説明するためのブロック図であり、図２および図３はその処理を説明するためのフローチャートであり、そして図４は本機能のシステム動作を説明するための説明図である。ここで図１のブロック図の各構成は、携帯電話１０またはＳＴＢ２０内のハードウェアや、図示していないＣＰＵ（中央処理装置）、記憶装置等からなる処理装置上で実行されるプログラムの、一方または組み合わせによって構成されている。また、ＳＴＢ２０にはＴＶモニタ等の表示装置が接続されており、表示装置の画面上にＳＴＢ２０において各種アプリケーションを実行することでポインタ表示や画像表示が行えるようになっている。
【００２５】
図１に示すように本実施の形態では携帯電話１０内に、十字キー１２、中央キー１３およびテンキー等の他のキー１６と、入力制御部１０１、リモコンコード制御部１０２、およい赤外線信号発光部１０３とが設けられるとともに、所定の記憶装置内にリモコンコード情報１０４、携帯電話識別ＩＤ１０５、および送信タイミング情報１０６が記憶されている。入力制御部１０１は、各キー１２〜１６のオン／オフ状態を検知して検知したキーの情報をキーコード情報として出力する。リモコンコード制御部１０２は、入力制御部１０１の出力信号に基づいて入力されたキーコードに応じたリモコンコードをリモコンコード情報１０４から読み出し、携帯電話識別ＩＤ１０５を付加し、他リモコンとの競合を防止する為に送信タイミング情報１０６に基づいてタイミングを調整し、赤外線発光部１０３へ情報を転送する。赤外線発光部１０３は、入力された情報に基づいて所定の形式で変調した赤外線信号をリモコン信号として出力する。
【００２６】
リモコンコード情報１０４は、図１８に示すように、各キー（十字キー、中央キー、テンキー、特定キー）のキーコードとリモコンコードを対応させた情報である。図１８に示す例では、図４の十字キー１２ｕ、１２ｄ、１２ｒ、１２ｌの押下に対応して発生されるキーコード「０１」〜「０４」にリモコンコード「０１１」、「０１２」、「０１３」、「０１４」が対応し、図４のメニューキー１４と十字キー１２ｕ、１２ｄ、１２ｒ、１２ｌとの同時押下に対応して発生されるキーコード「０１＋９９」〜「０４＋９９」にリモコンコード「０２１」、「０２２」、「０２３」、「０２４」が対応し、中央キー１３の押下に対応して発生されるキーコード「５５」にリモコンコード「０５５」が対応し、図示していないクリアキーの押下に対応して発生されるキーコード「６６」にリモコンコード「０６６」が対応し、そして、テンキー１５の内の９番キー１５９の押下に対応して発生されるキーコード「１９」にリモコンコード「１９０」が対応するようになっている。
【００２７】
携帯電話識別ＩＤ１０５は、携帯電話に付与される識別ＩＤ情報である。送信タイミング情報１０６は、図１９に示すように、リモコン信号出力の基本周期時間を示す基本周期情報とリモコン信号送信時刻を決定する為のオフセット時間と送信可能時間とを表す情報である。基本周期情報は、複数の携帯電話の送信可能期間を１台のＳＴＢに対して時分割制御する場合の１周期であり、図１９の例では１台当たり２５０ｍｓとして４台分の時間１秒を基本周期としている（すなわち基本周期１秒を４個のタイムスロットに分割して時分割制御している）。オフセット時間は、携帯電話１０の基本周期クロック信号を基準とした場合に各周期におけるリモコン信号の出力開始時刻を表す情報である。送信可能時間は、オフセット時間で決まるリモコン信号出力開始時刻から継続して出力可能な時間を示すものである。図１９の例では、１秒の基本周期の開始時刻から２００ｍｓ後に信号出力可能となり、４００ｍｓ（＝２００ｍｓ＋２００ｍｓ）後まで継続して出力可能となる。なお、各情報の設定方法については後述する。
【００２８】
一方、図１のＳＴＢ２０には、赤外線信号受光部２０１、リモコンコード解析部２０２、ポインタ制御部２０３、アクション処理部２０４、ポインタ描画部２０５、アプリケーション２０６およびオペレーティングシステム２０７が設けられるとともに、所定の記憶装置内に携帯電話識別ＩＤ登録テーブル２０８、リモコンコード情報２０９、アクション情報２１０およびポインタ状態情報２１１が記憶されている。赤外線信号受光部２０１は、受信した赤外線信号を復調し、リモコンコードに変換して出力する。リモコンコード解析部２０２は、携帯電話識別ＩＤ登録テーブル２０８およびリモコンコード情報２０９を参照して、携帯電話識別ＩＤの判定を行うとともに、リモコンコードを解析し、ポインタ制御部２０３へ判定結果および解析結果を引き継ぐ。
【００２９】
携帯電話識別ＩＤ登録テーブル２０８は、図２０に示すように、ＴＳ割当番号、携帯電話識別ＩＤ、および優先度情報から構成されている。ＴＳ割当番号は、複数の携帯電話１０を同時に使用する際に用いる時分割制御のタイムスロットを識別する番号である。優先度は、各携帯電話１０間の優先順位を示す情報であり、複数の携帯電話１０間にポインタ等の操作条件の差異を設ける場合に用いられる。携帯電話識別ＩＤ登録テーブル２０８は、リモコン動作に先立ってＳＴＢ２０に対して各携帯電話１０から登録操作を行うことで設定される（詳細は後述する）。図２０に示す例では、ＴＳ割当番号「０１」〜「０４」のうちの「０１」〜「０３」に対して携帯電話識別ＩＤが登録されていて、ＴＳ割当番号「０１」に対して優先度「０」が、その他に対して優先度「３」が設定されている。この例では、「０」の優先度が最も高く、以下、「１」、「２」、「３」、…と優先度が低くなることとしている。
【００３０】
リモコンコード情報２０９は、図２１に示すように、リモコンコード、ポインタ指示コード、指定座標、および移動量を示す各情報から構成されている。リモコンコードは、図１８に示す携帯電話１０側のリモコンコード情報１０４に対応する値を有し、携帯電話１０側で操作された各キー（十字キー、中央キー、テンキー、特定キー、あるいはそれらのキーの所定の組み合わせ）を示すコードである。ポインタ指示コードは、リモコンコードをポインタの移動指示やポインタをクリックする操作を行ったときの動作指示を示す所定のコードであり、ＳＴＢ２０で実行されているアプリケーション毎に設定される。指定座標は、ポインタを画面上の所定の位置に即時に移動させる際の値である。移動量は、１回の操作でポインタを移動させる量を示す値である。図２１の例では、例えば十字キー１２ｕ（図４参照）の操作に対応するリモコンコード「０１１」に対して、ポインタ指示コード「１１１」（上方移動）と移動量「５」が設定され、十字キー１２ｕとメニューキー１４（図４参照）の同時操作に対応するリモコンコード「０２１」に対して、ポインタ指示コード「１２１」（上方移動）と移動量「１０」が設定され、また、９番キー１５９（図４参照）の操作に対応するリモコンコード「１９０」に対して、ポインタ指示コード「２１９」（指定移動）と指定座標「３００，３００」が設定されている。
【００３１】
一方、図１のポインタ制御部２０３は、リモコンコード解析部２０２によって解析された情報に基づいて、アクション情報２１０およびポインタ情報２１１にアクセスして、ポインタ状態情報を設定・更新するとともに、アクション情報を決定し、決定したアクション情報または最新のポインタ状態情報を、アクション処理部２０４およびポインタ描画部２０５へ引継ぐ処理を行う。
【００３２】
アクション情報２１０は、リモコンコード解析部２０２から引き継いだポインタ指示コードに基づいて、アクション処理部２０４またはポインタ描画部２０５を介してポインタ描画部２０５あるいはオペレーティングシステム２０７に対してイベントメッセージを送信する為に用いられる情報ある。すなわち、ポインタ指示コードを、メニューを起動したり、ボタンを選択・実行したりするアクションに変換するための情報が設定されている。例えば図２２に示すようにこのアクション情報２１０には、アプリケーション２０６が起動済みの場合と、未起動の場合とに分けて、アクション処理部２０４やポインタ描画部２０５へ引き渡すアクション情報が設定されている。図２２に示す例では、ポインタ指示コード「１５５」（中央キー１３が押された時）に対して、アプリケーション２０６が起動済みの場合は選択あるいは決定を意味する「マウス左クリック指示」が、未起動の場合はアプリケーションメニュー表示の指示を意味する「マウス右クリック指示」が設定されている。
【００３３】
ポインタ状態情報２１１は、ＴＳ割当番号毎に、起動中（ポインタを表示中）であるか否かの情報、全画面表中であるか否かの情報、状態変化時刻、ポインタ現在位置情報などの状態を記憶するためのテーブルである。例えば、図２３に示すように、各ＴＳ割当番号に対応して、起動中表示や全画面表示の有無を表すフラグや、状態変化時刻、ｘｙ座標で表したポインタ位置情報が登録される。
【００３４】
また、アクション処理部２０４は、ポインタ制御部２０３から送られてきたアクション情報に従い、アプリケーション２０６やオペレーティングシステム２０７へイベントメッセージを送信する。ポインタ描画部２０５は、アクション情報やポインタ状態情報に従いポインタカーソルを描画するイベントメッセージをオペレーティングシステム２０７に対して送信する。
【００３５】
次に図１に示す構成の処理手順について図２および図３のフローチャートならびに図４のシステム図を参照して説明する。この例では、携帯電話１０における各キーの操作が、ＳＴＢ２０による画面表示における次のような機能に対応していることとする。
【００３６】
(ア)十字キー１２：ポインタカーソルを移動させる時のＸ軸、またはＹ軸方向への移動方向情報を与える。
【００３７】
(イ)中央キー１３：ポインタカーソルの座標位置にアプリケーション（ＡＰ）（すなわちアプリケーションの所定のアイコン等）があった場合、実行アクション（マウスのダブルクリック、左クリック）の役割を与える。
【００３８】
(ウ)テンキー１５：１〜９の数字キーをＴＶ画面３１にオーバーラップさせ、たとえば「９」キー１５９を押すとＴＶ画面３１の右下の部分３０９（図４参照）にポインタカーソル４を一瞬で移動させる役割を与える。
【００３９】
(エ)特定キー：上記以外のその他のキー（ここではメニューキー１４とする）に、ＸＹ軸移動速度を変化（移動量を増減）させる役割を与えたり、優先度の高い携帯電話１０のリモコン機能に対して、画面切り替えの役割を与える。移動量を変化させる場合、例えば、十字キー１２とメニューキー１４を同時に押した場合に移動量を増やしたリモコンキーを割当てるように、リモコンコード情報１０４を設定する。
【００４０】
図２は、携帯電話１０側の処理手順を示すフローチャートである。携帯電話１０側では所定のアプリケーションが起動されてリモコン機能が起動されると、各キーの操作状態が繰り返し監視される（図２のステップＳ１１〜Ｓ１２）。各キーのオン情報があった場合（ステップＳ１２で「Ｙｅｓ」）、リモコンコード情報１０４から各キーコードに対応するリモコンコードを読み出し、これに携帯電話識別ＩＤを付与する（ステップＳ１３）。次に、送信信号が他リモコンと競合しないように、送信タイミング情報１０６からオフセット時間を抽出し、携帯電話現在時刻から送出時刻を算出し、そのタイミングで、赤外線発光部１０３へ送信情報を送信する（ステップＳ１４）。そして、生成したリモコンコード情報を赤外線発光部１０３から送信する（ステップＳ１５）。
【００４１】
一方、ＳＴＢ２０側では、赤外線受光部２０１で赤外線信号を受光し（図３のステップＳ２１）、リモコンコード解析部２０２で監視し、受光されるたびリモコンコード情報２０９との照合を行い、リモコンコード解析を行う（ステップＳ２２）。具体的には、リモコンコード解析部２０２が、受信したリモコンコード情報に対応するポインタ指示コード、移動量、指定座標を読み出し、以後の処理へ引継ぐ情報を生成する。リモコンコード解析部２０２は、また、解析後のリモコンコード情報から、携帯電話識別ＩＤを抽出し、登録済の識別ＩＤかを判定し（ステップＳ２３）、登録済みであればステップＳ２４へ進む。他方、未登録の場合は終了する（ステップＳ２３で「Ｎｏ」から「終了」）。携帯電話識別ＩＤは予めＳＴＢ２０に対して登録する必要があるが、登録方法の詳細については後述する。
【００４２】
次に、ポインタ制御部２０３が、ポインタ状態情報２１１を参照し、起動済みの携帯電話識別ＩＤか判定し（ステップＳ２４）、起動済みであればポインタ状態情報を読み込み、次にポインタ指示コードによってＸＹ軸移動方向を決定し、移動量によってポインタ状態情報２１１を更新する。未起動の場合は、ポインタ現在位置に初期値を設定し、ＸＹ軸移動方向、移動量によりポインタ状態情報２１１を更新する（ステップＳ２６）。ここで、ポインタ指示コードによっては、移動量を多くした場合や、移動する座標が指定されていたりする場合もある。
【００４３】
次に、ポインタ描画部２０５によって、現在位置情報とＸＹ軸移動方向と移動量、指定座標をもとにポインタカーソルの描画を行うとともに、受信したリモコンコード情報とアクション情報２１０を照合し、アクション情報が含まれる場合、対応するアプリケーション（ＡＰ）２０６やオペレーティングシステム（ＯＳ）２０７に対してイベントとしてメッセージを送る（ステップＳ２７）。
【００４４】
以上の処理によって、図４に示すように、例えば、携帯電話１０のリモコン機能を用いて、十字キー１２、中央キー１３、メニューキー１４、テンキー１５等を操作することで、ＴＶモニタ３０の画面３１上に表示されるポインタカーソル４（４ａ、４ｂ）を制御する情報を携帯電話１０からリモコンコード情報に変換し赤外線信号として送信し、ＳＴＢ２０に受信させることでＴＶモニタ３０上のポインタカーソル４の移動とクリックを実現する。テンキー１５の配置をＴＶモニタ画面３１へオーバーラップすることで（すなわちテンキー「１」〜「９」を画面領域３０１〜３０９に対応させることで）、例えばテンキーの「９」１５９を押すとＴＶ画面３１の右下領域３０９へマウスポインタ４が即座に移動し、大雑把な移動を行うことができ、次に十字キー１２で詳細な移動が行うことができる。また、特別に指定されたキー（この例ではメニューキー１４）を押し続けながら十字キー１２を押すことで、マウスポインタの移動速度を変えることができる。ポインタ４ａはメニューキー１４を押さない場合の同一時間での移動を表し、ポインタ４ｂはメニューキー１４を押しながらの場合の移動を表している。
【００４５】
（２）複数の携帯電話を同時に使用する場合に、携帯電話からＳＴＢに送信されるリモコン信号（赤外線信号）の送信タイミングを各携帯電話間でずらすための機能：図５は、本機能の概要を示すシステム図である。図５は、３台の携帯電話１０ａ、１０ｂおよび１０ｃを同時に１台のＳＴＢ２０に対して使用する例を示している。携帯電話１（１０ａ）、携帯電話２（１０ｂ）、携帯電話３（１０ｃ）からのリモコン信号の送信時間が、各携帯電話内部の時刻情報を利用してそれぞれ期間ＴＳ１、ＴＳ２、およびＴＳ３に時分割制御される。図５の例では、期間ＴＳ４は使用されていないが、ＴＳ１〜ＴＳ４の４個のタイムロット（ＴＳ）を１周期としてこれが繰り返される。また、画面３１には、携帯電話１（１０ａ）に対応するポインタ４ａ、携帯電話２（１０ｂ）に対応するポインタ４ｂ、および携帯電話３（１０ｃ）に対応するポインタ４ｃが表示される。各ポインタ４ａ〜４ｃは、各携帯電話１０ａ〜１０ｃのリモコン操作に応じて移動したり、クリック指示を行ったりする。また、図５の例では、各ポインタ４ａ〜４ｃに、丸で囲んだ「１」〜「３」の数字を表示することでポインタの識別ができるようにしている。ただし、数字以外に、イメージや文字を表示したり、ポインタカーソル自体を異なる形状（色）の矢印にしたり、矢印以外のイメージとするようにしてもよい。
【００４６】
本機能を実現するための構成を図６に示した。なお、図１と同一の構成には同一の参照符号を用いている（以下、他の図においても同様）。図６に示す通信データ制御部１２０は、赤外線通信によって、ＳＴＢ２０からＴＳ（タイムスロット）割当情報や基本周期情報を受信し、送信タイミング情報１０６を生成する。時計時刻情報１２１は、携帯電話１０に備えられている時計機能によって生成された時刻を表す情報を記憶した記憶装置である。ＳＴＢ２０内の通信データ制御部２２０は、携帯電話１０ａ、１０ｂ、…のリモコン同士を同期させるために、ＴＳ割当開始時間、送信可能時間、基本周期情報を送信する。同期情報２３０は、基本周期情報、携帯電話識別ＩＤ登録数上限値、自動登録の可否情報、送信可能時間を示す情報である（図２５参照）。ここで、基本周期情報は時分割制御の繰り返し周期であり、送信可能時間は各ＴＳ内の信号送信可能時間である。通信データ制御部２２０によって、携帯電話識別ＩＤ毎に異なるＴＳが割当てられることになる。
【００４７】
次に、図６に示す構成の処理手順を、図７および図８のフローチャートならびに送信タイミング情報１０６生成の詳細処理を示すシステム図（図９）を参照して説明する。なお、時分割制御が成立するには、各携帯電話１０ａ、１０ｂ、…の時刻情報が同期している必要がある。本実施の形態では、ＳＴＢ２０の時刻情報を基準としてその差分情報を各携帯電話で検知し、これを記録することで各携帯電話間の同期を取るようにしている。これとは別に、各携帯電話の同期を携帯電話間相互で赤外線通信等を行うことによって確立するようにすることもできる。ただし、例えば携帯電話において実行するアプリケーションの権限上の制約等で時計情報を直接合わせることができないような場合には、本実施の形態のように差分情報と時計情報とで同期をとるようにすることが有効となる。
【００４８】
図７および図８において（図７と図８の各ステップは相互に関連するものとする）、ＳＴＢ２０と携帯電話１０の赤外線送受信部を対向させるようにした後、例えば利用者によってＳＴＢ２０または携帯電話１０に対して所定の操作が行われると、携帯電話１０とＳＴＢ２０間で赤外線通信が開始され、通信路が確立される（図７のステップＳ３１および図８のステップＳ４１）。次に、携帯電話１０が携帯電話識別ＩＤをＳＴＢに対して送信する（図７のステップＳ３２）。
【００４９】
次に、ＳＴＢ２０では、携帯電話１０の携帯電話識別ＩＤを受信した場合、登録済の携帯電話識別ＩＤかを携帯電話識別ＩＤ登録テーブル２０８に存在するかで判定し（図８のステップＳ４２）、登録済みであればステップＳ４５へ進む。ただし、前提として、同期情報２３０には、携帯電話識別ＩＤ登録数上限値と自動登録の可否を設定しておくものとする。
【００５０】
未登録の場合は（ステップＳ４２で「Ｎｏ」の場合は）、同期情報２３０の自動登録可否が可能で、かつ、携帯電話識別ＩＤ登録数上限値と現在の登録数を判定し空きがあるときには（ステップＳ４３で「Ｙｅｓ」のときには）、携帯電話識別ＩＤ登録テーブル２０８に携帯電話識別ＩＤを登録する（ステップＳ４４）。同時に識別ＩＤ別データエリア情報２３１（図２６を参照して詳細は後述する）を参照し、識別ＩＤが登録されていなければ、追加登録を行う。自動登録不可の場合は（ステップＳ４３で「Ｎｏ」の場合は）、赤外線通信を終了する（ステップＳ４７および図７のステップＳ３６）。登録済みの状態となった場合は（ステップＳ４２で「Ｙｅｓ」またはステップＳ４４で登録した場合は）、携帯電話識別ＩＤ登録数上限値と基本周期と登録時の携帯電話識別ＩＤに対応したＴＳ割当番号によって、ＴＳ割当開始時間を計算し、送信可能時間を示す情報とともに送信する（ステップＳ４５）。以後、同様の内容を基本周期毎（この例では１秒毎）に同じ信号を繰り返し送信する（ステップＳ４６）。
【００５１】
携帯電話１０側では、ＳＴＢ２０側からＴＳ割当開始時間（ここでは図９の時間ｔｓ２とする）を受信した後（図７のステップＳ３３、図９の吹き出しで囲んで示した手順（１））、ＳＴＢ２０側から基本周期で情報を繰り返し受信することで基本周期（ＳＴＢ２０側の時計情報によるもの）を認識し、送信タイミング情報１０６に設定するとともに、その時点での携帯電話側の時計情報から基本周期との差分ｔ１を抽出する（図７のステップＳ３４、図９の手順（２）および（３））。次に、受信済みのＴＳ割当開始時間ｔｓ２と基本周期との差分ｔ１から、携帯電話１０側の時間でのオフセット時間ｔｏｆを抽出し送信タイミング情報１０６に設定する（図７のステップＳ３５、図９の手順（４））。そして、赤外線通信を終了する（図７のステップＳ３６および図８のステップＳ４７）。
【００５２】
なお、携帯電話１０では、ＳＴＢ２０側からＴＳ割当開始時間を取得したときに同時に（あるいは他の時刻に）、送出可能時間（ＴＳｅ）を取得して、送信タイミング情報１０６に設定する（図９の手順（５））。送出可能時間ＴＳｅは、信号を送出可能な時間を表すものであり、送出可能開始時刻（ＳＴＢ２０の基本周期開始時刻からＴＳ割当開始時間ｔｓ２後の時刻または携帯電話１０の時刻周期開始時刻からオフセット時間ｔｏｆ後の時刻）から送出が禁止されるまでの時間である。
【００５３】
以上の処理によって携帯電話１０側で送信タイミング情報１０６を設定することができる。この送出タイミング情報１０６を用いることで、例えば図２のステップＳ１４でタイミング調整が行われる。
【００５４】
（３）複数の携帯電話を同時に使用する場合に、ＳＴＢに接続されたＴＶモニタの画面を複数の領域に分割するとともに、各携帯電話に対応する複数のポインタを各領域内に移動範囲を限定して表示したり、ＳＴＢ内に携帯電話から受信した静止画像、動画像（映像）からななる画像データを記憶するための記憶装置を設け、各画像データを各ポインタに対応する領域に表示したり、ＴＶモニタの複数の分割領域の一つの領域を全画面に表示したりする機能：本機能を実現するための構成例を図１０に示した。図１に示す構成に対して、図１０に示す構成ではＳＴＢ２０内に画面移動制限情報２１２が追加されていて、またポインタ制御部２０３ａの内部処理が一部追加されている。さらにオペレーティングシステム２０７（またはアプリケーション２０６）によって各携帯電話１０に対応した画像データを記録するためのデータエリア２４０を新たに図示している。なお、図１と同一の参照符号を付けた構成は、同一またはほぼ同一の構成からなるものであり、説明を省略する。
【００５５】
図１０において、ポインタ制御部２０３ａは、リモコンコード解析部２０２で解析された情報によって、ポインタ状態情報を設定・更新し、画面移動制限情報２１２から移動範囲を決定し、アクション情報を決定し、アクション処理部２０４およびポインタ描画部２０５へ引継ぐ。画面移動制限情報２１２には、図２４に示すように、起動中のポイントカーソルの数に応じて、レイアウトパターンを用意し、ＴＳ番号毎に制限領域が、Ｘ・Ｙ座標、Ｘ・Ｙ幅で設定されている。本実施の形態では、図１２に示すように、複数の携帯電話を使用する場合に、画面３１を複数の領域に分割し（図１２では３分割）、各領域を特定の携帯電話の専用領域（ポインタ４ａ、４ｂ、４ｃが移動可能な領域）とする機能を提供する。領域の分割形態は、分割数によって異なり、図２４の画面移動制限情報２１２には、分割しない場合をレイアウトパターン「０１」、２〜４分割する場合をレイアウトパターン「０２」〜「０４」として、４つのレイアウトパターンを設定している。そして、各レイアウトパターンに対して、各制限領域を１〜４個設定するとともに、各制限領域とタイムスロット番号とを対応付けることで各制限領域と各携帯電話とを対応させるようにしている。例えば図１２に示すように、画面３１を制限領域３１a、３１ｂおよび３１ｃに３分割する場合、レイアウトパターン「０３」が使用され、各制限領域３１a〜３１ｃの座標情報がタイムスロット「ＴＳ０１〜ＴＳ０３」に割り当てられた値に設定されることになる。
【００５６】
次に図１０の構成の処理手順を図１１のフローチャートを参照して説明する。携帯電話１０側の処理手順は図２に示すものと同一である。ただし、図２のステップＳ１４における各携帯電話１０ａ〜１０ｃのリモコン信号送出タイミングはそれぞれ異なっている。
【００５７】
ＳＴＢ２０側では、赤外線受光部２０１で赤外線信号を受光し（ステップＳ５０１）、リモコンコード解析部２０２で監視して、受光されるたびリモコンコード情報２０９との照合を行い、リモコンコード解析を行う（ステップＳ５０２）。次に、登録済み携帯電話識別ＩＤかを判定し（ステップＳ５０３）、登録済みの場合には（ステップＳ５０３で「Ｙｅｓ」）、ポインタ状態情報２１１を参照し、起動済みの携帯電話識別ＩＤか判定する（ステップＳ５０４）。起動済みの携帯電話識別ＩＤの判定は、ポインタ状態情報２１１の“起動中表示”のところが“１”となっている行のＴＳ割当番号に対応する携帯電話識別ＩＤを、携帯電話識別ＩＤ登録テーブル２０８を参照することによって行われる。
【００５８】
起動済みの時（ステップＳ５０４で「Ｙｅｓ」）、ポインタ状態情報２１１のすべてのポインタに対する全画面表示を参照し、全画面表示中のポインタがあるか判定する（ステップＳ５０５）。ここで、全画面表示中のポインタとは、図１３に示すように、分割された特定の制限領域（図１３では制限領域３１ｃ）を全画面に表示している表示状態（図１３の右下の状態）である場合に、その全画面表示中の特定の制限領域（３１ｃ）で表示すべきポインタ（この例ではポインタ４ｃまたは４ｄ）であることを意味する。なお、図１３でポインタ４ｃは制限領域３１ｃに対応する携帯電話１０ｃのポインタであり、ポインタ４ｄは領域制限に関わらず制限領域３１ａ〜３１ｃのいずれにも移動可能な高優先度を持つ他の携帯電話１０ｄのポインタである。
【００５９】
全画面表示中のポインタがある場合（ステップＳ５０５で「Ｙｅｓ」）、そのポインタと今回起動済みのポインタが一致するか判定する（ステップＳ５０６）。一致する場合（ステップＳ５０６で「Ｙｅｓ」）、ステップＳ５０７へ進む。一致しない場合（ステップＳ５０６で「Ｎｏ」）、画面表示できないので処理を終了する。一方、全画面表示中のポインタがなければ（ステップＳ５０５で「Ｎｏ」）、ステップＳ５０７へ進む。
【００６０】
ステップＳ５０７では、優先識別ＩＤの判定を行う。ここで優先識別ＩＤとは携帯電話識別ＩＤ登録テーブル２０８の当該携帯電話識別ＩＤに対応する優先度が所定の値未満（図２０の例では「１」未満）の場合の携帯電話識別ＩＤであり、制限領域のすべてに渡って移動可能なポインタに対応するものである。優先識別ＩＤ以外の時は（ステップＳ５０７で「Ｎｏ」）、今回のポインタ指示コードと指定座標、移動量を参照し、画面移動制限情報２１２の対応するＴＳ割当のｘ幅ｙ幅の範囲から超えないかチェックし（ステップＳ５１５）、範囲を超える場合は範囲内の値に変更し、ポインタ状態情報２１１を更新する（ステップＳ５１０）。
【００６１】
優先識別ＩＤの時は（ステップＳ５０７で「Ｙｅｓ」）、ポインタ指示コードが画面切替か判定する（ステップＳ５０８）。画面切替とは、図２１に示すようにポインタ指示コードが例えば「１６６」となるリモコンコード「０６６」（クリアキー（図１８参照））が受信されたときのアクションを意味する。図１３の例では、優先携帯電話１０ｄにおいて画面切替を指示する操作が行われた場合に、分割した複数の制限領域を同時に表示する状態と、１つの制限領域を全画面表示（拡大表示）する状態とを交互に切り替える機能が提供される。
【００６２】
画面切替でない時は（ステップＳ５０８で「Ｎｏ」）、指示された情報でポインタ状態情報を更新する。画面切替の場合（ステップＳ５０８で「Ｙｅｓ」）は、指定領域の全画面表示または全画面表示からの復帰を行う（ステップＳ５０９）。
【００６３】
ここでステップＳ５０９の処理について詳細に説明する。未全画面表示の時、現在のポインタ位置の座標を含む領域を、画面移動制限情報のｘ幅ｙ幅の範囲より抽出する。その際、参照するレイアウトパターンは、ポインタ状態情報２１１の起動中の数により決定する。次に決定した領域に対応するポインタのポインタ状態情報２１１の全画面表示にＹＥＳ（“１”）を設定し、それ以外のポインタおよびそのポインタにより起動されたアプリケーション（制限領域）は非表示とさせる描画制御指示を設定する（ステップＳ５１０）。一方、全画面表示の時は、ポインタ状態情報２１１の全画面表示をＮＯ（“０”）に設定し、全画面表示の時に非表示としたポインタおよびポインタにより起動されていたアプリケーション（制限領域）を再度個別表示するように描画制御指示を設定する（ステップＳ５１０）。
【００６４】
一方、ステップＳ５０４で起動済みでないと判定された場合（ステップＳ５０４で「Ｎｏ」）、ポインタ状態情報２１１の各ポインタの全画面表示を参照し、全画面表示中のポインタがあるか判定する（ステップＳ５１２）。全画面表示中のポインタがある場合（ステップＳ５１２で「Ｎｏ」）、画面表示できないので処理を終了する。
【００６５】
全画面表示中のポインタがなければ（ステップＳ５１２で「Ｙｅｓ」）、ポインタ状態情報２１１を参照し現在起動中のポインタ数を抽出し、そのポインタ数により、画面移動制限情報２１２から今回ポインタを新規追加した場合のレイアウトパターンを抽出する。既に起動中の全てのポインタ状態情報２１１の位置情報を、画面移動制限情報２１２の対応するＴＳ割当のｘ幅ｙ幅の範囲の中央に位置するように変更する（ステップＳ５１３）。次に、新規追加ポインタのポインタ状態情報２１１には、レイアウトパターンで指定されたｘ幅ｙ幅の範囲の中央位置を基準に、ポインタ指示コードで指示されるように移動情報を設定する（ステップＳ５１４）。
【００６６】
ステップＳ５１１では、ポインタ状態情報および、描画制御指示を基にポインタカーソル等の描画を行う。ポインタ指示コードがアクション指示の時は、アクション情報を照合し対応するアプリケーション２０６やオペレーティングシステム２０７に対してイベントとしてメッセージを送る。たとえは、アクション情報としてアプリケーション起動のメニュー表示が設定されていれば、起動できるアプリケーション一覧を表示し、さらに次のアクションで、アプリケーションを選択し実行することができる。例えば、画像ビューワを選択した場合、画像ビューワが起動され、携帯電話識別ＩＤ対応のデータ領域２４０の画像データを表示することができる。
【００６７】
図１２に画面分割の一例を示した。図１２に示す例では、画面３１を制限領域３１ａ、３１ｂおよび３１ｃの３つに分割している。各制限領域３１ａ、３１ｂおよび３１ｃは、携帯電話１（１０ａ）、携帯電話２（１０ｂ）および携帯電話３（１０ｃ）に対応し、またカーソル４ａ、４ｂおよび４ｃが表示されている。また、各制限領域３１ａ、３１ｂおよび３１ｃには、各携帯電話１（１０ａ）、携帯電話２（１０ｂ）および携帯電話３（１０ｃ）に対応する画像情報５１、５２および５３が表示されている。これらの画像情報５１、５２および５３は、データエリア２４０中の各携帯電話１（１０ａ）、携帯電話２（１０ｂ）および携帯電話３（１０ｃ）に対して割り当てられた記憶領域２４１、２４２および２４３に記憶されている画像データ５１、５２および５３に対応するものである。
【００６８】
また、図１３に示す例では、３つの携帯電話１（１０ａ）、携帯電話２（１０ｂ）および携帯電話３（１０ｃ）よりも高い優先度が設定された携帯電話Ｘ（１０ｄ）のカーソル４ｄを起動し、画面の切り替えを行う例を示している。
【００６９】
（４）画像データを記憶するための記憶装置を複数の領域に分割可能で、かつ各携帯電話に対応して各記憶領域を自動的に割り当てる機能：本機能を実現するための構成例を図１４に示した。図６または図１０に示す構成に対して、図１４に示す構成では携帯電話１０内に画像データ用の記憶手段である蓄積データエリア１３０が追加されるとともに通信データ制御部１２０ｂが本機能に対応する処理手順を行うものに変更されている。またＳＴＢ２０側では、識別ＩＤ別データエリア情報２３１が設けられるとともに、通信データ制御部２２０ｂがデータエリア２４０内のデータを制御可能なものに変更されている。なお、他の図と同一の参照符号を付けた構成は、同一またはほぼ同一の構成であり、説明を省略する。
【００７０】
図１４において、携帯電話１０側の通信データ制御部１２０ｂは、赤外線通信によって蓄積データエリア１３０内の画像データを、携帯電話識別ＩＤとともに送信する処理を行う（図１７のシステム図参照）。蓄積データエリア１３０には、動画または静止画の画像データが記憶されている。一方、ＳＴＢ側の通信データ制御部２２０ｂは、赤外線通信によってデータを受信する際、携帯電話識別ＩＤを受信すると、携帯電話識別ＩＤ別データエリア情報２３１から、データエリア２４０内の携帯電話識別ＩＤ別のデータエリアのアドレスを取得し、受信したデータを該当するエリアへ自動的に蓄積する。識別ＩＤ別データエリア情報２３１は、図２６に示すように、データエリア２４０内の識別ＩＤ別領域（蓄積エリア）２４１、２４２、２４３、…のアドレス情報を、携帯電話識別ＩＤ毎に登録した情報である。
【００７１】
次に、図１４の構成の処理手順を、図１５および図１６のフローチャートを参照して説明する。まず、携帯電話１０とＳＴＢ２０との間で赤外線通信を開始し通信路を確立する（図１５のステップＳ６１および図１６のステップＳ７１）。次に携帯電話１０が携帯電話の識別ＩＤを送信する（図１５のステップＳ６２）。
【００７２】
ＳＴＢ２０では、携帯電話１０の携帯電話識別ＩＤを受信した場合、登録済の携帯電話識別ＩＤかを判定し（図１６のステップＳ７２）、登録済みであれば通信を継続するが、未登録の場合は通信を終了する（図１６のステップＳ７５および図１５のステップＳ６４）。
【００７３】
登録済みの場合、携帯電話１０は送信データを選択して送信し（ステップＳ６３）、ＳＴＢ２０は識別ＩＤ別データエリア情報２３１から、該当する識別ＩＤのデータエリアアドレスを抽出し（図１６のステップＳ７３）、携帯電話１０から受信したデータを該当する識別ＩＤ別データエリア２４１、２４２、２４３等へ蓄積する（図１６のステップＳ７４）。そして、データの送受信が終了した後、赤外線通信を終了する（図１５のステップＳ６４および図１６のステップＳ７５）。
【００７４】
以上の処理で、図１７に示すように、データエリア２４０内に携帯電話毎の記憶領域が自動的に作成され、自動的に携帯電話毎に送信されたデータが蓄積される。
【００７５】
以上、各機能（１）〜（４）について説明したが、全体の処理手順は例えば次のようになる。（ア）携帯電話１０からＳＴＢ２０のデータエリア２４０内の個別割当エリアへ赤外線通信によるデータ転送が行われる（機能（４））。（イ）同時に携帯電話１０とＳＴＢ２０との間で赤外線通信を行い、同期を取り、携帯電話１０毎に異なる時間割当を行う（機能２）。（ウ）複数の携帯電話１０からＳＴＢ２０へ信号を送信し、複数のポインタカーソルを制御する（機能３）。（エ）また個別に画像データなどを個別表示エリアに表示させることができる（機能３）。なお、機能（１）については、（ア）〜（エ）のいずれにおいても用いることができる。
【００７６】
本実施の形態によれば次のような効果を得られる。一方通行の信号しか送信できない携帯電話リモコン信号（携帯電話リモコンとはリモコン信号の送信機能を使用可能な状態にした携帯電話を意味する）の複数信号の同時受信は、信号が混ざり合い、正常に受信できない。そこで、予め、個別に携帯電話リモコンとＳＴＢの間で、赤外線通信（通信距離が約２０ｃｍで、１対１の双方向通信）を行い、同期を取り、携帯電話リモコン毎に異なる時間割当を行い、それぞれの携帯電話リモコン側で、割当どおりのタイミングで信号を送信できるようにする。複数の信号が同時に発信されたとしても、ＳＴＢ側では混ざり合わず、順番に受信することができ、見かけ上の同時受信を可能とした。複数の赤外線リモコン信号を同時に受信できる。したがって、ＴＶモニタ上に複数のマウスポインタを表示し、個別に制御することが可能となる。ＴＶモニタ上で個別に制御できるメリットとして、個別データの同時表示があり、これを実現するために赤外線通信によるＳＴＢの個別割当エリアへのデータ転送とＴＶモニタ上に個別の表示エリアを設けることで実現する。
【００７７】
また、各機能の概要をまとめると次のようになる。（ａ）携帯電話リモコンの十字キー、中央キー、テンキー等を操作することで、ポインタカーソルを制御する情報をリモコンコードに変換し赤外線信号として送信し、ＳＴＢ等に受信させることでＴＶモニタ上のポインタカーソルの移動とクリックを実現する。テンキーの配置をＴＶモニタ画面へオーバーラップすることで、例えばテンキーの９を押すとＴＶ画面の右下へマウスポインタが即座に移動し、大雑把な移動を行い次に十字キーで詳細な移動が行うことができる。また、特別に指定されたキーを押し続けながら十字キーを押すことで、マウスポインタの移動速度を変えることができる。
【００７８】
（ｂ）携帯電話リモコンからの送信信号に携帯電話対応の識別ＩＤを付与し、送信時には他の携帯電話リモコンとの競合を避けるためにタイミングを調整して送信する。ＳＴＢ等では、受信した識別ＩＤをもとに送信者を特定することで、それぞれの送信者に対応したポインタカーソルを同一ＴＶ画面に表示し制御することができる。この場合、特に上記（ａ）の機能と組み合わせることで、リモコン信号の受付可能時間帯が制限されることによるポインタ移動指示の不連続性による影響を容易に小さく抑えることができる。なお、携帯電話識別ＩＤの代わりに、ＴＳ割当番号を送信信号に付与するようにしてもよい。つまり、送信信号に付与する情報は、携帯電話をそれぞれ識別できる情報（識別符号）であれば、識別ＩＤに限らない。
【００７９】
（ｃ）識別ＩＤにより特定された送信者のポインタカーソルが移動できる範囲を制限することで、識別ＩＤ毎の専用表示領域をつくることができる。
【００８０】
（ｄ）識別ＩＤごとの専用記憶領域を割り当てて、蓄積された映像データ等をポインティングデバイスで制御することで専用表示領域に表示することができる。
【００８１】
（ｅ）識別ＩＤを持つ送信者には、優先度を設定することができ、優先度の高いリモコン信号は全ての領域でポインタを表示させることができる。また、特定のボタンを押すこと現在ポイント中の領域を全画面表示したり、もとの分割領域に切替えることもできる。
【００８２】
（ｆ）ＳＴＢ等へ赤外線通信により映像データ等を転送する場合、識別ＩＤも転送し、ＳＴＢ側で識別することで、自動的に映像データ等を識別ＩＤ対応の記憶領域に蓄積させることができる。
【００８３】
以上説明したように本発明の実施の形態によれば次のような効果を得ることができる。(ア)ＴＶモニタに対し専用リモコンを使用せず、携帯電話の簡単な操作でポインティングデバイスを表示し、素早く移動させたり、移動速度を変更することができ操作性が向上する。(イ)ＴＶモニタに複数の携帯電話から複数のポインタを表示し、同時に操作が反映されることができ、複数の利用者の共同作業やコミュニケーションを行うことができる。(ウ)携帯電話機に蓄積された映像データ等をＳＴＢ上の専用の領域に転送することができ、専用の領域画面でポインタを操作することで映像データを表示することができる。
【００８４】
また、適用分野としては、例えば、リビングにおいて、ＴＶが情報家電のホームターミナルとなった場合にファミリーコミュニケーションのツールとして活用することが考えられる。
【００８５】
なお、本発明の実施の形態は、上記のものに限定されず、各構成をさらに処理（ステップ）単位で分割したり、あるいは各構成を統合したり、あるいは各データを通信回線等を介して分散して配置したりする変更が適宜可能である。本発明の各構成は、ハードウェアとソフトウェアとから構成され、そのソフトウェアの全部または一部は電子計算機読み取り可能な記録媒体や通信回線を介して配布することができる。
【００８６】
また、携帯電話とＳＴＢとの間の双方向通信の方法については、赤外線通信以外にも、インターネットメール、電波による無線通信、ケーブル接続等でも実現可能である。
【図面の簡単な説明】
【００８７】
【図１】本発明の実施の形態の構成例を示すブロック図。
【図２】図１の構成の処理手順（携帯電話１０側）を示すフローチャート。
【図３】図１の構成の処理手順（ＳＴＢ２０側）を示すフローチャート。
【図４】図１の構成の処理手順を示すシステム図。
【図５】図１の構成の処理手順を示す他のシステム図。
【図６】本発明の実施の形態の他の構成例を示すブロック図。
【図７】図６の構成の処理手順（携帯電話１０側）を示すフローチャート。
【図８】図６の構成の処理手順（ＳＴＢ２０側）を示すフローチャート。
【図９】図６の構成の処理手順を示すシステム図。
【図１０】本発明の実施の形態のさらに他の構成例を示すブロック図。
【図１１】図１０の構成の処理手順（ＳＴＢ２０側）を示すフローチャート。
【図１２】図１０の構成の処理手順を示すシステム図。
【図１３】図１０の構成の処理手順を示す他のシステム図。
【図１４】本発明の実施の形態のさらに他の構成例を示すブロック図。
【図１５】図１４の構成の処理手順（携帯電話１０側）を示すフローチャート。
【図１６】図１４の構成の処理手順（ＳＴＢ２０側）を示すフローチャート。
【図１７】図１４の構成の処理手順を示すシステム図。
【図１８】図１のリモコンコード情報１０４の構成例を示す図。
【図１９】図１の送信タイミング情報１０６の構成例を示す図。
【図２０】図１の携帯電話識別ＩＤ登録テーブル２０８の構成例を示す図。
【図２１】図１のリモコンコード情報２０９の構成例を示す図。
【図２２】図１のアクション情報２１０の構成例を示す図。
【図２３】図１のポインタ状態情報２１１の構成例を示す図。
【図２４】図１０の画面移動制限情報２１２の構成例を示す図。
【図２５】図１６の同期情報２３０の構成例を示す図。
【図２６】図１４の識別ＩＤ別データエリア情報２３１の構成例を示す図。
【符号の説明】
【００８８】
４ａ、４ｂ  ポインタ
１０  携帯電話
１２  十字キー
１３  中央キー
１４  メニューキー
１５  テンキー
２０  ＳＴＢ
３０  ＴＶモニタ
３１  ＴＶ画面
１０２  リモコンコード制御部
１０３  赤外線信号発光部
１０５  携帯電話識別ＩＤ
１０６  送信タイミング情報
２０１  赤外線信号受光部
２０２  リモコンコード解析部
２０３  ポインタ制御部
２０８  携帯電話識別ＩＤ登録テーブル
２３０  同期情報
【図１】
2006058946.tif 000003
【図２】
2006058946.tif 000004
【図３】
2006058946.tif 000005
【図４】
2006058946.tif 000006
【図５】
2006058946.tif 000007
【図６】
2006058946.tif 000008
【図７】
2006058946.tif 000009
【図８】
2006058946.tif 000010
【図９】
2006058946.tif 000011
【図１０】
2006058946.tif 000012
【図１１】
2006058946.tif 000013
【図１２】
2006058946.tif 000014
【図１３】
2006058946.tif 000015
【図１４】
2006058946.tif 000016
【図１５】
2006058946.tif 000017
【図１６】
2006058946.tif 000018
【図１７】
2006058946.tif 000019
【図１８】
2006058946.tif 000020
【図１９】
2006058946.tif 000021
【図２０】
2006058946.tif 000022
【図２１】
2006058946.tif 000023
【図２２】
2006058946.tif 000024
【図２３】
2006058946.tif 000025
【図２４】
2006058946.tif 000026
【図２５】
2006058946.tif 000027
【図２６】
2006058946.tif 000028